(57)【要約】【課題】コーヒー等のドリップバッグが中の湯に浸ることなく容器上に安定して載せることができ、またコンパクトで、使用に際しての作業が簡単、容易で、低コストであるドリップバッグの提供を課題とする。【解決手段】抽出用袋１０と外装体２０とを有し、外装体２０は、一対の表シート２０ａと裏シート２０ｂとをその両側縁部で一体に連続させた輪形状に構成し、表裏のシート２０ａ、２０ｂに対してその下辺に沿って下辺中央部に開口する略Ｔ字状スリットを形成することにより左右一対の脚構成片２４、２５を構成しており、抽出時には、前記左右一対の脚構成片２４、２５をそれぞれ外装体２０の両側縁部方向に略９０度折り返した構成とし、これによって前記一対の脚構成片２４、２５が容器１の開口部２縁上に載ると共に開口部２の外側壁に当接するように構成した。【選択図】        図１
2004248708.tif 000002
【特許請求の範囲】
【請求項１】
コーヒー紛等の被抽出材を入れた抽出用袋と該抽出用袋をその内側に保持する外装体とを有し、抽出時には前記外装体により前記抽出用袋をコーヒーカップ等の容器の開口部上に保持し、湯を開封された前記抽出用袋に注ぐことでコーヒー液等の抽出を行うようにしたドリップバッグであって、
前記外装体は、一対の表シートと裏シートとをその両側縁部で一体に連続させた輪形状に構成し、且つ表裏のシートに対してその下辺に沿って下辺中央部に開口する略Ｔ字状スリットを形成することにより前記表裏のシートのそれぞれに左右対称の略Ｌ字状片を形成すると共に、相互に重なり合う表裏のＬ字状片同士をその先端部において一体に固着することで左右一対の脚構成片を構成しており、
抽出時には、前記左右一対の脚構成片をそれぞれ外装体の両側縁部方向に略９０度折り返した構成とし、これによって前記一対の脚構成片が容器の開口部縁上に載ると共に開口部の外側壁に当接するように構成したことを特徴とするドリップバッグ。
【請求項２】
外装体は、その脚構成片を外装体の両側縁部方向に略９０度折り返した際に、脚構成片に元の方向への復帰力が働くように構成してあることを特徴とする請求項１に記載のドリップバッグ。
【発明の詳細な説明】
【０００１】
【発明の属する技術分野】
本発明はコーヒー紛等を入れたバッグをコーヒーカップ等の容器上に置いて、簡単にドリップすることができるドリップバッグに関する。
【０００２】
【従来の技術】
一定量のコーヒー紛を入れたバッグをコーヒーカップにセットして、湯を注いでコーヒー液を抽出するようにした、いわゆるコーヒーバッグが知られている。このコーヒーバッグには、抽出時にバッグが容器（カップ）内にあって湯に浸かるものと、バッグが容器上に保持されて容器内の湯には浸からないものとがある。
前記バッグのフィルターや該フィルター内のコーヒー粉がカップ内の湯に浸かるものは、味やその他の点で好ましくない。
【０００３】
【発明が解決しようとする課題】
一方、バッグが容器上に載るものも従来から提供されている。この形式のバッグは、フィルターやその内部のコーヒー紛が湯に浸からないので、味等の点で好ましい。が、その一方、バッグが容器上に載った状態が不安定とならないようにする必要がある。またバッグを容器上に安定して載せるために必要な作業が複雑とならない必要がある。また容器上に載ったバッグが大きすぎたり、贅沢に見える等、コーヒー紛以外の付属品においてコストが高くかかるようには見えないようにする必要がある。
【０００４】
そこで本発明は上記従来の問題点を解消し、バッグが容器上に載ることで、容器内の湯には浸からないものにおいて、安定して容器上に載せることができ、またその際の作業が簡単、容易であり、バッグがコンパクトで低コストで得ることができる新たなドリップバッグの提供を課題とする。
【０００５】
【課題を解決するための手段】
上記課題を解決するため、本発明のドリップバッグは、コーヒー紛等の被抽出材を入れた抽出用袋と該抽出用袋をその内側に保持する外装体とを有し、抽出時には前記外装体により前記抽出用袋をコーヒーカップ等の容器の開口部上に保持し、湯を開封された前記抽出用袋に注ぐことでコーヒー液等の抽出を行うようにしたドリップバッグであって、前記外装体は、一対の表シートと裏シートとをその両側縁部で一体に連続させた輪形状に構成し、且つ表裏のシートに対してその下辺に沿って下辺中央部に開口する略Ｔ字状スリットを形成することにより前記表裏のシートのそれぞれに左右対称の略Ｌ字状片を形成すると共に、相互に重なり合う表裏のＬ字状片同士をその先端部において一体に固着することで左右一対の脚構成片を構成しており、抽出時には、前記左右一対の脚構成片をそれぞれ外装体の両側縁部方向に略９０度折り返した構成とし、これによって前記一対の脚構成片が容器の開口部縁上に載ると共に開口部の外側壁に当接するように構成したことを第１の特徴としている。
また本発明のドリップバッグは、上記第１の特徴に加えて、外装体は、その脚構成片を外装体の両側縁部方向に略９０度折り返した際に、脚構成片に元の方向への復帰力が働くように構成してあることを第２の特徴としている。
【０００６】
【発明の実施の形態】
以下の図面を参照しながら、本発明の実施形態を更に説明する。
図１は本発明実施形態に係るドリップバッグの使用状態を示す斜視図、図２はドリップバッグの使用前である初期状態での正面図、図３はドリップバッグの使用前である初期状態での平面図、図４はドリップバッグの使用前である初期状態での側面図、図５はドリップバッグの使用前である初期状態である底面図、図６はドリップバッグの使用状態での正面図、図７はドリップバッグの使用状態での平面図である。
【０００７】
ドリップバッグは抽出用袋１０と外装体２０とを有し、図１に示すように、使用状態においてコーヒーカップ等の容器１の開口部２上に載るように保持された状態とされ、湯が開封された抽出用袋１０に注がれることで、抽出が行われる。
【０００８】
一方、ドリップバッグは未だ使用していない初期状態においては、図２〜５に示すような形状をしている。先ず図２〜５を参照してドリップバッグの初期状態の構成を説明する。
前記抽出用袋１０は逆台形状を呈し、内部に図示しないコーヒー紛が封入されている。抽出用袋１０の最上部は外装体２０の上辺から突出した状態に構成され、この突出領域１１において抽出用袋１０が接着されて封止されている。この突出領域１１はドリップバッグ使用に際しての切り代とされており、この突出領域（切り代）を切り取ることで、ドリップバッグを開き抽出用袋１０を開くことができる。
【０００９】
前記外装体２０は、一対の表シート２０ａと裏シート２０ｂとをその両側縁部２１、２１で一体に連続させた輪形状に構成している。輪形状といっても、ドリップバッグの使用前である初期形状においては、外装体は図３に示すような扁平な形となっている。勿論、表シート２０ａと裏シート２０ｂとは何れが表で何れが裏であるというわけではなく、同等である。
前記外装体２０を構成する一対の表シート２０ａと裏シート２０ｂは、折り返すと元の方向へ戻ろうとする復元力が働くように、また内部の抽出用袋１０を保護するために、多少厚みのある紙で構成する。
前記表シート２０ａと裏シート２０ｂには、その下辺２２、２２の中央部に開口する略Ｔ字状スリット２３、２３を下辺２２、２２に沿って形成している。該略Ｔ字状スリット２３は、水平スリット部２３１とその中央部から垂下する垂直スリット部２３２とからなり、垂直スリット部２３２が下辺２２の中央部に開口する。この略Ｔ字状スリット２３、２３を構成することにより、ドリップバッグはその表裏の各シート２０ａ、２０ｂのそれぞれに左右対称の略Ｌ字状片２４１、２４１、２５１、２５１を形成しており、更に表裏のシート２０ａ、２０ｂにおいて相互に重なる略Ｌ字状片２４１、２４１同士、及び略Ｌ字状片２５１、２５１同士をそれぞれその先端部の固着領域２６、２６で一体に固着することによって、左右一対の脚構成片２４、２５を構成している。
【００１０】
前記固着領域２６、２６は各脚構成片２４、２５の先端部のうち下辺２２に近い部分に限定している。そして該限定された固着領域２６、２６以外の脚構成片２４、２５の部分である表裏の略Ｌ字状片２４１、２４１同士及び略Ｌ字状片２５１、２５１は、相互に固着されることなく、開くことができる。
前記略Ｔ字状スリット２３の水平スリット部２３１の両肩部は角にならないように丸抜き２３３、２３３状態としている。これによって、ドリップバッグの使用に際して、前記脚構成片２４、２５を前記水平スリット部２３１の上辺２３１ａの延長線を折り曲げ線２７として、外方へ折り曲げたときに、前記肩部の角で破れたりするのを防止するようにしている。
なお、前記延長線には折り曲げ易くするためにミシン目のような折り曲げ線２７を設けてもよい。
また前記水平スリット部２３１の両側下角部には斜め下方に向けて切り込み２３４、２３４が設けられている。この切り込み２３４は、より具体的には、下向きに膨出した円弧上の切り込みとされている。これによって、ドリップバッグの脚構成片２４、２５を側方に開いて容器１上に係止する際、容器１の開口部２の径が大きいものにも寸法的に受入れ易くすると共に、開口部２の縁が外方に広がり、曲がったような容器１に対しても、その開口部２の縁をうまく迂回して容器１の外壁にフィットできるようにしている。
【００１１】
前記水平スリット部２３１の下辺２３１ｂは、具体的には両側から中央にいくにしたがって水平スリット部２３１が狭くなるように、少し傾斜させて構成している。これによって、ドリップバッグの脚構成片２４、２５を側方に開いて容器１上に係止する際、脚構成片２４、２５を容器１の外側面の傾斜形状により沿った形で当接させることが可能となる。
また前記表裏の水平スリット部２３１、２３１の下辺２３１ｂ、２３１ｂ間に抽出用袋１０の最下部付近が挟み込まれた状態に保持される。
【００１２】
一方、外装体２０の表裏のシート２０ａ、２０ｂは、その上辺の細い帯状の領域で抽出用袋１０の表裏のフィルター紙とそれぞれ接着され、口部接着領域Ｓとされている。これによって、ドリップバッグ使用の際に抽出用袋１０の前記突出領域１１を切り取ることで、外装体２０の上辺を開口することができ、同時に前記口部接着領域Ｓで一体となった抽出用袋１０の開口も開くことができる。
前記外装体２０と抽出用袋１０との口部接着領域Ｓは、前記外装体２０の両側縁部２１、２１において、その幅にわたって上端切り込み２８、２８（図６も参照）が構成されている。この上端切り込み２８、２８では外装体２０は勿論、抽出用袋１０も切り込まれている。このような上端切り込み２８、２８を設けることで、ドリップバッグを開く際に該上端切り込み２８、２８での自由度が大きく、外装体２０及び抽出用袋１０を容易に大きく開くことができる。
【００１３】
図１、及び図６、７を参照して、ドリップバッグの使用状態について説明する。
初期状態にあるドリップバッグから前記抽出用袋１０の突出領域１１を切り取ると、ドリップバッグの開口が可能となる。使用者は外装体２０の上辺を抽出用袋１０と共に開くことで湯の注ぎ入れを可能とすると共に、左右一対の脚構成片２４、２５をそれぞれ側縁部２１、２１方向に略９０度折り返すことで容器１上への設置を可能とする。
前記脚構成片２４、２５を折り返した状態では、該脚構成片２４、２５は水平方向の載置部２４ａ、２５ａと垂直方向の係止部２４ｂ、２５ｂとが形成された状態となる。
そして脚構成片２４、２５が折り返された状態では、その折り返し線２４ｃ、２５ｃが直線からなる一定の幅をもって存在するため、外装体２０の上辺、即ちドリップバッグの開口が大きく開いた状態に保持される。
また脚構成片２４、２５が折り返された状態では、その折り返しに対する復元力が外装体２０に働くため、前記係止部２４ｂ、２５ｂに内向きの力が働く結果、容器１に対して両側からの挟持力を働かせることが可能となると共に、開口部２の寸法の小さい容器１にも対応することができる。
【００１４】
脚構成片２４、２５の係止部２４ｂ、２５ｂに設けられる切り込み２３４は、、容器１の開口部２のより大きな寸法に対する許容範囲を広げるものである。と同時に、開口部２の形状が外方へ局部的に曲がっているような容器１に対しても対応できるようにしたものである。
前記脚構成片２４、２５の係止部２４ｂ、２５ｂは、その下端部で一体に固着された固着領域２６、２６とされていることで、型崩れし難い立体構造となっており、容器１外壁に対して確実に当接することが可能となる。そして前記係止部２４ｂ、２５ｂは二股状になっているので、容器１の外側面により確実に当接することができる。
【００１５】
上記の実施形態は主としてコーヒーをドリップするドリップバッグとされるが、紅茶や日本茶、その他の抽出飲料用のドリップバッグとすることもできる。
【００１６】
【発明の効果】
本発明は以上の構成、作用よりなり、請求項１に記載のドリップバッグによれば、コーヒー紛等の被抽出材を入れた抽出用袋と該抽出用袋をその内側に保持する外装体とを有し、抽出時には前記外装体により前記抽出用袋をコーヒーカップ等の容器の開口部上に保持し、湯を開封された前記抽出用袋に注ぐことでコーヒー液等の抽出を行うようにしたドリップバッグであって、前記外装体は、一対の表シートと裏シートとをその両側縁部で一体に連続させた輪形状に構成し、且つ表裏のシートに対してその下辺に沿って下辺中央部に開口する略Ｔ字状スリットを形成することにより前記表裏のシートのそれぞれに左右対称の略Ｌ字状片を形成すると共に、相互に重なり合う表裏のＬ字状片同士をその先端部において一体に固着することで左右一対の脚構成片を構成しており、抽出時には、前記左右一対の脚構成片をそれぞれ外装体の両側縁部方向に略９０度折り返した構成とし、これによって前記一対の脚構成片が容器の開口部縁上に載ると共に開口部の外側壁に当接するように構成したので、
左右一対の脚構成片によって抽出用袋を容器の開口部上に確実に配置することができ、抽出用袋内のコーヒー粉等の被抽出物が容器内の湯に浸かるのを確実に防止しながらドリップすることができる。
また左右一対の脚構成片によって容器の開口部縁上に載り、且つ容器の開口部の外側面に当接するようにしているので、抽出に際して抽出用袋を保持した外装体を容器の開口部上に安定して且つ確実に係止、保持することができる。
また左右一対の脚構成片が両側縁部方向に略９０度折り返されることで、外装体を十分に広く開口すると共に、その広く開いた状態で保持することが可能となり、湯を注ぎ入れて容易にドリップすることができる。
またドリップバッグは、使用前の初期状態において、一対の表シートと裏シートとを両側縁部で一体に連続させた輪形状とした外装体の内側に抽出用袋を保持した構成としているので、非常にコンパクトでシンプルなドリップバッグを低コストで提供することができる。
また一対の脚構成片をそれぞれ略９０度折り返すことで、容器の開口部上への取り付け載置の準備ができるので、使用に際しての作業が非常に簡単で、容易である。
また請求項２に記載のドリップバッグによれば、上記請求項１に記載の構成による効果に加えて、外装体は、その脚構成片を外装体の両側縁部方向に略９０度折り返した際に、脚構成片に元の方向への復帰力が働くように構成してあるので、
容器に対して両側からの挟持力を働かせることが可能となり、より確実に且つ安定してドリップバッグを容器上に載置、係止することができる。
また復元力が働くことにより、開口部寸法の比較的小さい容器に対しても適応して確実に載置、係止することが可能となり、寸法適応性のよいドリップバッグを提供することができる。
【図面の簡単な説明】
【図１】本発明の実施形態に係るドリップバッグの使用状態を示す斜視図である。
【図２】実施形態に係るドリップバッグの使用前である初期状態での正面図である。
【図３】実施形態に係るドリップバッグの使用前である初期状態での平面図である。
【図４】実施形態に係るドリップバッグの使用前である初期状態での側面図である。
【図５】実施形態に係るドリップバッグの使用前である初期状態である底面図である。
【図６】実施形態に係るドリップバッグの使用状態での正面図である。
【図７】実施形態に係るドリップバッグの使用状態での平面図である。
【符号の説明】
１              容器
２              開口部
１０            抽出用袋
１１            突出領域
２０            外装体
２０ａ          表シート
２０ｂ          裏シート
２１            側縁部
２２            下辺
２３            Ｔ字状スリット
２３１          水平スリット部
２３１ａ        上辺
２３２          垂直スリット部
２３３          丸抜き
２３４          切り込み
２４、２５      脚構成片
２４ａ、２５ａ  載置部
２４ｂ、２５ｂ  係止部
２４ｃ、２５ｃ  折り返し線
２４１、２５１  略Ｌ字状片
２６            固着領域
２７            折り曲げ線
２８            上端切り込み
Ｓ              口部接着領域
【図１】
2004248708.tif 000003
【図２】
2004248708.tif 000004
【図３】
2004248708.tif 000005
【図４】
2004248708.tif 000006
【図５】
2004248708.tif 000007
【図６】
2004248708.tif 000008
【図７】
2004248708.tif 000009